(57)【要約】【課題】構造的に簡単で組立て作業性の向上を図ることができ、さらに空芯コイルの中空部とリベットコアの軸部との結合部におけるギャップ（磁路の間隙）の寸法を調節することにより、直流電流重畳特性を変化させることができるチョークコイルを提供することにある。【解決手段】板厚方向に貫通する貫通穴２６を有する板コア２３と、鍔部２４及びこの鍔部２４と一体の軸部２５を有し、軸部２５の先端部を前記板コア２３の貫通穴２６に挿入結合されたリベットコア２２と、前記リベットコア２２の軸部２５に嵌合された空芯コイル２９と、前記板コア２３の薄肉部２３ａに設けられ前記空芯コイル２９とリード線３２を介して接続された端子２７とを具備したことを特徴とする。【選択図】　　　　　図１
2004095673.tif 000002
【特許請求の範囲】
【請求項１】
板厚方向に貫通する貫通穴を有する板コアと、鍔部及びこの鍔部と一体の軸部を有し、軸部の先端部を前記板コアの貫通穴に挿入結合されたリベットコアと、前記リベットコアの軸部に嵌合された空芯コイルと、前記板コアの薄肉部に設けられ前記空芯コイルとリード線を介して接続された端子とを具備したことを特徴とするチョークコイル。
【請求項２】
前記板コアの貫通穴とリベットコアの軸部との結合部にギャップを設けたことを特徴とする請求項１に記載のチョークコイル。
【請求項３】
前記板コアと前記リベットコアの鍔部及び前記板コアの貫通穴と前記リベットコアの軸部との結合部は、接着剤によって接着されていることを特徴とする請求項１に記載のチョークコイル。
【発明の詳細な説明】
【０００１】
【発明の属する技術分野】
この発明は、低背型のオープンドラムタイプのチョークコイルに関する。
【０００２】
【従来の技術】
従来、低背型のオープンドラムタイプのチョークコイルは、図４あるいは図５に示すように構成されている。図４のチョークコイルの一体型ドラムコア１は、磁性粉末によって成形された軸部２とこの軸部２の両端に鍔部３が一体に設けられている。ドラムコア１の軸部２にはコイル４が捲回され、このコイル４にはリード線５が導出されている。
【０００３】
また、磁性粉末によって成形された矩形板状の台座６には断面がコ字形の端子７が固定されており、この台座６の上面にはドラムコア１の下側の鍔部３が嵌合される凹陥部８が設けられている。
【０００４】
そして、ドラムコア１の一方の鍔部３は凹陥部８に嵌合された状態で接着されており、コイル４のリード線５は端子７に半田付けによって接続されている。
【０００５】
また、図５のチョークコイルの一体型ドラムコア１０は、磁性粉末によって成形された軸部１１とこの軸部１１の両端に鍔部１２が一体に設けられている。ドラムコア１０の軸部１１にはコイル１３が捲回されている。一方の鍔部１２には端子１４が固定されており、この端子１４にはコイル１３から導出されたリード線（図示しない）が半田付けによって接続されている。
【０００６】
【発明が解決しようとする課題】
しかしながら、前述したチョークコイルは、低背型として構成されたものであるが、ドラムコアは、軸部の両端に鍔部が一体に設けられている。従って、ドラムコアの軸部にコイルを捲回する際に、一方の鍔部をチャッキングした状態で軸部に捲回するが、ドラムコアの鍔部はチョークコイルの低背型を図るために極薄に形成されているために、チャッキング時または巻線ストレスなど機械的強度が弱く、鍔部を破損させてしまうことがあり、チョークコイルの組立作業性が悪いとともに、不良率の発生によってコストアップの原因となっている。
【０００７】
この発明は、前記事情に着目してなされたもので、その目的とするところは、チョークコイルの高さ寸法を低く構成することができ、しかも構成の簡素化により、組立てが容易で、コストダウンを図ることができるチョークコイルを提供することにある。
【０００８】
【課題を解決するための手段】
この発明は、前記目的を解決するために、請求項１は、板厚方向に貫通する貫通穴を有する板コアと、鍔部及びこの鍔部と一体の軸部を有し、軸部の先端部を前記板コアの貫通穴に挿入結合されたリベットコアと、前記リベットコアの軸部に嵌合された空芯コイルと、前記板コアの薄肉部に設けられ前記空芯コイルとリード線を介して接続された端子とを具備したことを特徴とするチョークコイルにある。
【０００９】
請求項２は、請求項１の前記板コアの貫通穴とリベットコアの軸部との結合部にギャップを設けたことを特徴とする。
【００１０】
請求項３は、請求項１の前記板コアと前記リベットコアの鍔部及び前記板コアの貫通穴と前記リベットコアの軸部との結合部は、接着剤によって接着されていることを特徴とする。
【００１１】
前記構成によれば、空芯コイルの中空部にリベットコアの軸部を挿入し、その軸部の先端部を板コアの貫通穴に挿入することにより、リベットコアと板コアとの間に空芯コイルが挟持された状態に保持され、低背型チョークコイルを構成することができる。また、空芯コイルの中空部とリベットコアの軸部との結合部におけるギャップ（磁路の間隙）の寸法を調節することにより、低抵抗化及び直流電流重畳特性を変化させることができる。
【００１２】
【発明の実施の形態】
以下、この発明の実施の形態を図面に基づいて説明する。
【００１３】
図１〜図３は第１の実施形態を示し、図１はチョークコイルを示し、（ａ）は分解した状態の縦断側面図、（ｂ）は同組立て状態の縦断側面図、図２はチョークコイルの分解斜視図、図３はチョークコイルを示し、（ａ）は上面図、（ｂ）は組立て状態の縦断側面図、（ｃ）は下面図である。
【００１４】
図１に示すように、ドラムコア２１は、例えばＮｉ系磁性粉末によって成形されたリベットコア２２と例えばＮｉ系磁性粉末によって成形された板コア２３とから構成されている。リベットコア２２は円板状の鍔部２４とこの鍔部２４の下面中央部に一体に突設された円柱状の軸部２５とから構成されている。
【００１５】
板コア２３は略矩形板状で、対角線方向の一方の角部は円弧状で、他方の角部は斜めにカットされている。さらに、板コア２３の中央部には板厚方向に貫通する貫通穴２６が穿設され、この貫通穴２６にはリベットコア２２の軸部２５の先端部が挿入結合されるようになっている。
【００１６】
さらに、板コア２３の周縁部には断面がコ字形の一対の端子２７が嵌合固定されている。また、板コア２３の端子取付け部は、その板コア２３の下面が端子２７の肉厚に相当する段差を有するように薄肉部２３ａに形成され、板コア２３の下面と端子２７とが略同一平面となるように形成され、この部分においてもチョークコアの低背型化を図っている。さらに、前記端子２７にはリード線を絡げるための突出片２８が一体に設けられ、これら突出片２８は板コア２３の外周縁より外側に突出して設けられている。
【００１７】
また、リベットコア２２の軸部２５に嵌合される空芯コイル２９は、被膜処理した線状導体または帯状導体を密に捲回した円筒状のコイル部３０を有し、このコイル部３０の中央部には中空部３１が設けられている。さらに、コイル部３０にはリード線３２が導出されている。
【００１８】
従って、空芯コイル２９の中空部３１にリベットコア２２の軸部２５を挿入し、その軸部２５の先端部を板コア２３の貫通穴２６に挿入することにより、リベットコア２２と板コア２３との間に空芯コイル２９が挟持された状態に保持される。従って、リベットコア２２の鍔部２４をチャッキングして軸部２５にコイルを捲回する作業が不要となり、鍔部２４に無理な外力が加わることはない。
【００１９】
次に、空芯コイル２９から導出されたリード線３２を端子２７の突出片２８に絡げ、この絡げ部を半田付け、溶接、ヒュージング（加圧して接合する）などによって接続する。最後に、空芯コイル２９の中空部３１とリベットコア２２の軸部２５との間に接着剤３３を塗布するとともに、端子２７の隣側部における板コア２３とリベットコア２２及び空芯コイル２９の外側部に接着剤３３を塗布し、これらを一体的に結合することにより、オープンドラムチョークコイルが完成する。
【００２０】
また、空芯コイル２９の中空部３１とリベットコア２２の軸部２５との結合部におけるギャップｇ（磁路の間隙）の寸法を調節することにより、低抵抗化及び直流電流重畳特性を変化させることができる。
【００２１】
【発明の効果】
以上説明したように、この発明によれば、コアを板コアとリベットコアとから構成し、空芯コイルの中空部にリベットコアの軸部を挿入し、その軸部の先端部を板コアの貫通穴に挿入することにより、リベットコアと板コアとの間に空芯コイルが挟持された状態に保持され、低背型チョークコイルを構成することができ、構造的に簡単で組立て作業性の向上を図ることができる。さらに、空芯コイルの中空部とリベットコアの軸部との結合部におけるギャップ（磁路の間隙）の寸法を調節することにより、低抵抗化及び直流電流重畳特性を変化させることができる。
【図面の簡単な説明】
【図１】この発明の第１の実施形態のチョークコイルを示し、（ａ）は分解した状態の縦断側面図、（ｂ）は同組立て状態の縦断側面図。
【図２】同実施形態を示し、チョークコイルの分解斜視図。
【図３】同実施形態のチョークコイルを示し、（ａ）は上面図、（ｂ）は組立て状態の縦断側面図、（ｃ）は下面図。
【図４】従来のチョークコイルを示し、（ａ）は分解した縦断側面図、（ｂ）は組立て状態の縦断側面図。
【図５】従来のチョークコイルを示す縦断側面図。
【符号の説明】
２２…リベットコア
２３…板コア
２３ａ…薄肉部
２４…鍔部
２５…軸部
２６…貫通穴
２７…端子
２９…空芯コイル
３２…リード線
【図１】
2004095673.tif 000003
【図２】
2004095673.tif 000004
【図３】
2004095673.tif 000005
【図４】
2004095673.tif 000006
【図５】
2004095673.tif 000007